(57)【要約】【課題】マジックＴによる合成方式を使用した送信機デュアルシステムにあって、運転モードごとのマジックＴ合成部の位相調整を実現できるようにした位相制御装置を提供する。【解決手段】上記位相制御部１５において、ＴＸ１単独運転モード時に、ＡＮＤ回路１５ｅにて送信機（ＴＸ１）の出力信号がＮＯＲＭＡＬ状態であるかＢＹＰＡＳＳ状態であるかを判定し、ＢＹＰＡＳＳ状態である場合に送信機（ＴＸ１）の出力信号を９０°移相するようにマジックＴ合成部の位相制御を実行し、一方、ＴＸ２単独運転モード時に、ＡＮＤ回路１５ｇにて送信機（ＴＸ２）の出力信号がＮＯＲＭＡＬ状態であるかＢＹＰＡＳＳ状態であるかを判定し、ＢＹＰＡＳＳ状態である場合に送信機（ＴＸ２）の出力信号を９０°移相するようにマジックＴ合成部の位相制御を実行している。また、デュアル運転モードにおいても同様である。【選択図】図２
2009213085.tif 000002
【特許請求の範囲】
【請求項１】
第１系統の伝送信号及び第２系統の伝送信号のいずれか一方を選択的に出力し、第１系統の伝送信号及び第２系統の伝送信号を合成して出力する処理を選択的に実行するマジックＴ合成部の位相制御を行う位相制御装置において、
前記第１系統の伝送信号に対し位相変化を与えるための第１の制御信号を発生する第１の制御信号発生手段と、
前記第２系統の伝送信号に対し位相変化を与えるための第２の制御信号を発生する第２の制御信号発生手段と、
前記マジックＴ合成部による前記第１系統の伝送信号の選択時または前記第１及び第２系統の合成出力の選択時に、前記第１系統の伝送信号に位相変化が与えられているか否かを判定する第１の判定手段と、
前記マジックＴ合成部による前記第２系統の伝送信号の選択時または前記第１及び第２系統の合成出力の選択時に、前記第２系統の伝送信号に位相変化が与えられているか否かを判定する第２の判定手段と、
前記第１の判定手段による判定結果に基づいて、前記第１の制御信号発生手段に対し処理の実行・停止を制御する第１の実行・停止制御手段と、
前記第２の判定手段による判定結果に基づいて、前記第２の制御信号発生手段に対し処理の実行・停止を制御する第２の実行・停止制御手段とを具備したことを特徴とする位相制御装置。
【請求項２】
前記第１及び第２の制御信号発生手段は、前記マジックＴ合成部の移相量を０°から９０°に設定する第１及び第２の制御信号を発生し、
前記第１の実行・停止制御手段は、前記第１の判定手段による判定結果から前記マジックＴ合成部の移相量が０°に設定されている場合に、前記第１の制御信号発生手段に対し実行制御を行い、
前記第２の実行・停止制御手段は、前記第２の判定手段による判定結果から前記マジックＴ合成部の移相量が０°に設定されている場合に、前記第２の制御信号発生手段に対し実行制御を行うことを特徴とする請求項１記載の位相制御装置。
【請求項３】
前記第１及び第２の制御信号発生手段は、前記マジックＴ合成部の移相量を９０°から０°に設定する第１及び第２の制御信号を発生し、
前記第１の実行・停止制御手段は、前記第１の判定手段による判定結果から前記マジックＴ合成部の移相量が９０°に設定されている場合に、前記第１の制御信号発生手段に対し実行制御を行い、
前記第２の実行・停止制御手段は、前記第２の判定手段による判定結果から前記マジックＴ合成部の移相量が９０°に設定されている場合に、前記第２の制御信号発生手段に対し実行制御を行うことを特徴とする請求項１記載の位相制御装置。
【請求項４】
第１系統の伝送信号及び第２系統の伝送信号のいずれか一方を選択的に出力し、第１系統の伝送信号及び第２系統の伝送信号を合成して出力する処理を選択的に実行するマジックＴ合成部の位相制御を行う位相制御方法において、
前記マジックＴ合成部による前記第１系統の伝送信号の選択時または前記第１及び第２系統の合成出力の選択時に、前記第１系統の伝送信号に位相変化が与えられているか否かを判定し、この判定結果に基づいて、前記第１系統の伝送信号に対し位相変化を与えるための第１の制御信号を前記マジックＴ合成部へ送信し、
前記マジックＴ合成部による前記第２系統の伝送信号の選択時または前記第１及び第２系統の合成出力の選択時に、前記第２系統の伝送信号に位相変化が与えられているか否かを判定し、この判定結果に基づいて、前記第２系統の伝送信号に対し位相変化を与えるための第２の制御信号を前記マジックＴ合成部へ送信するようにしたことを特徴とする位相制御方法。
【発明の詳細な説明】
【技術分野】
【０００１】
この発明は、例えばデジタル無線通信・放送システムに用いられ、２台の送信機それぞれの出力を合成し、また２台の送信機の出力のいずれか１つを選択導出するマジックＴ合成部の位相制御を行う位相制御装置及び位相制御方法に関する。
【背景技術】
【０００２】
従来より、放送送出設備には、２台の送信機の出力を合成して規定出力を得る送信機デュアルシステムがある。このシステムは、２台の送信機を有することで１台の送信機のみで構成される送信機シングルシステムよりも冗長系があり、万一の故障時や保守のために出力合成切替部で片方の送信機のみをアンテナに接続することが可能である。
【０００３】
上記送信機デュアルシステムでは、２台の送信機出力を合成する場合、３ｄＢカプラを使用して合成を行っている。この場合、送信機の制御は、同軸切換器を回転させる時に送信機出力をオフ、同軸切換器の回転が終了し、応答をもらって送信機をオンとしている。
【０００４】
ところで、送信機デュアルシステムでは、３ｄＢカプラ以外に、マジックＴによる合成器を使用する場合も多い。このマジックＴによる合成器を使用した場合、送信機出力をオフ、オンするだけでは不十分であり、運転モード(デュアル運転、１号単独運転、２号単独運転)ごとにマジックＴの位相を変更する必要がある。
【０００５】
なお、この種に関連する従来技術として、特許文献１に、２台の送信機の各出力の位相を揃えて切替出力を行う切替装置が示されている。但し、この特許文献１に記載のものは、一方の送信機の出力から他方の送信機の出力への切替時に切替雑音が発生することを問題としており、運転モードごとにマジックＴの位相調整に関するものではない。
【特許文献１】特開２００６−２７０２２８公報。
【発明の開示】
【発明が解決しようとする課題】
【０００６】
以上のように、マジックＴによる合成方式を使用した送信機デュアルシステムでは、運転モードごとにマジックＴの位相を調整する必要があり、この位相調整手段についてまだ検討段階であり、実現されていないのが現状である。
【０００７】
そこで、この発明の目的は、マジックＴによる合成方式を使用した送信機デュアルシステムにあって、運転モードごとのマジックＴ合成部の位相調整を実現できるようにした位相制御装置及び位相制御方法を提供することにある。
【課題を解決するための手段】
【０００８】
この発明に係る位相制御装置は、第１系統の伝送信号及び第２系統の伝送信号のいずれか一方を選択的に出力し、第１系統の伝送信号及び第２系統の伝送信号を合成して出力する処理を選択的に実行するマジックＴ合成部の位相制御を行う位相制御装置を対象にしている。
【０００９】
そして、第１系統の伝送信号に対し位相変化を与えるための第１の制御信号を発生する第１の制御信号発生手段と、第２系統の伝送信号に対し位相変化を与えるための第２の制御信号を発生する第２の制御信号発生手段と、マジックＴ合成部による第１系統の伝送信号の選択時または第１及び第２系統の合成出力の選択時に、第１系統の伝送信号に位相変化が与えられているか否かを判定する第１の判定手段と、マジックＴ合成部による第２系統の伝送信号の選択時または第１及び第２系統の合成出力の選択時に、第２系統の伝送信号に位相変化が与えられているか否かを判定する第２の判定手段と、第１の判定手段による判定結果に基づいて、第１の制御信号発生手段に対し処理の実行・停止を制御する第１の実行・停止制御手段と、第２の判定手段による判定結果に基づいて、第２の制御信号発生手段に対し処理の実行・停止を制御する第２の実行・停止制御手段とを備えるようにしたものである。
【００１０】
この構成によれば、第１系統の伝送信号の運用時については、マジックＴ合成部に対する位相制御の実行に先立ち、第１系統の伝送信号に位相変化が与えられているか否かを判定し、与えられていない場合に第１系統の伝送信号に位相変化を与えるようにマジックＴ合成部の位相制御を実行し、一方、第２系統の伝送信号の運用時については、マジックＴ合成部に対する位相制御の実行に先立ち、第２系統の伝送信号に位相変化が与えられているか否かを判定し、与えられていない場合に第２系統の伝送信号に位相変化を与えるようにマジックＴ合成部の位相制御を実行するようにしている。また、第１及び第２系統の合成出力の運用時については、マジックＴ合成部に対する位相制御の実行に先立ち、第１及び第２系統の伝送信号に位相変化が与えられているか否かを判定し、位相変化が与えられていない系統の伝送信号に位相変化を与えるようにマジックＴ合成部の位相制御を実行するようにしている。
【００１１】
従って、運転モードごとにマジックＴ合成部に対する適切な位相調整処理を行うことにより各運転モードでの最大出力の送出が可能となり、さらに位相制御上の信頼性を高めることもできる。
【発明の効果】
【００１２】
以上詳述したようにこの発明によれば、マジックＴによる合成方式を使用した送信機デュアルシステムにあって、運転モードごとのマジックＴ合成部の位相調整を実現できるようにした位相制御装置及び位相制御方法を提供することができる。
【発明を実施するための最良の形態】
【００１３】
以下、この発明の実施形態について図面を参照して詳細に説明する。  
図１は、この発明に係わる位相制御装置が適用される送信機デュアルシステムの一実施形態の構成を示すブロック図である。
【００１４】
図１に示すシステムにおいて、１系入力、２系入力には、デジタル放送信号が供給される。１系入力のデジタル放送信号は、送信機（ＴＸ１）１１に供給される。そして、送信機１１にて所定信号レベルまで電力増幅され、マジックＴ合成部１２を介してアンテナ１３により送信信号として送出される。
【００１５】
同様に、２系入力のデジタル放送信号は、送信機（ＴＸ２）１４に供給される。そして、送信機１４にて所定信号レベルまで電力増幅され、マジックＴ合成部１２を介してアンテナ１３により送信信号として送出される。
【００１６】
ところで、マジックＴ合成部１２は、送信機１１，１４の出力信号を取り込み、これら出力信号を位相制御部１５から与えられる位相制御信号に応じて適宜移相してアンテナ１３に出力する。また、マジックＴ合成部１２は、デュアル運転モードに設定されているとき、送信機１１，１４の各出力信号を合成してアンテナ１３に出力し、ＴＸ１単独運転モードに設定されているとき、送信機１１の出力信号をアンテナ１３に出力し、送信機１４の出力信号を擬似負荷抵抗１６に落とし、ＴＸ２単独運転モードに設定されているとき、送信機１１の出力信号を擬似負荷抵抗１６に落とし、送信機１４の出力信号をアンテナ１３に出力する。
【００１７】
上記位相制御部１５は、具体的に図２に示すようなロジックで構成される。図２において、上記位相制御部１５は、第１の制御信号発生手段を構成する位相制御信号生成器１５ａ，１５ｂと、第２の制御信号発生手段を構成する位相制御信号生成器１５ｃ，１５ｄと、第１の判定手段を構成するＡＮＤ回路１５ｅ，１５ｆと、第２の判定手段を構成するＡＮＤ回路１５ｇ，１５ｈと、第１の実行・停止制御手段を構成するスイッチ１５ｉ，１５ｊと、第２の実行・停止制御手段を構成するスイッチ１５ｋ，１５ｌとを備えている。
【００１８】
ここで、デュアル運転モード、ＴＸ１単独運転モード、ＴＸ２単独運転モードにおける位相制御部１５の動作について説明する。
【００１９】
（デュアル運転モード）  
図２において、デュアル運転モードの指示信号は、端子１５ｍを介してフリップフロップ回路１５ｎのＳ端子に供給される。すると、フリップフロップ回路１５ｎは、論理「１」の信号を出力する。この論理「１」の信号は、ＯＲ回路１５ｏ，１５ｐを介してＡＮＤ回路１５ｅ，１５ｆ，１５ｇ，１５ｈにそれぞれ供給される。このとき、マジックＴ合成部１２において、送信機１１，１４の各出力信号が移相されていない状態（ＢＹＰＡＳＳ  ＳＴＡＴＵＳ）であれば、ＡＮＤ回路１５ｅ，１５ｇから論理「１」の信号が出力されて、各スイッチ１５ｉ，１５ｋに供給される。すると、スイッチ１５ｉ，１５ｋがオン状態に切り替えられ、位相制御信号生成器１５ａ，１５ｃから移相量９０°の位相制御信号が発生し、マジックＴ合成部１２に供給される。
【００２０】
マジックＴ合成部１２では、送信機１１，１４の出力信号を取り込み、これら出力信号を位相制御部１５から与えられる位相制御信号に応じて９０°移相し、合成してアンテナ１３に出力する。
【００２１】
以後、フリップフロップ回路１５ｎは、端子１５ｑを介して供給される信号によりリセットされる。
【００２２】
一方、マジックＴ合成部１２において、送信機１１，１４の各出力信号が移相されている状態（ＮＯＲＭＡＬ  ＳＴＡＴＵＳ）であれば、ＡＮＤ回路１５ｆ，１５ｈから論理「１」の信号が出力されて、各スイッチ１５ｊ，１５ｌに供給される。すると、スイッチ１５ｊ，１５ｌがオン状態に切り替えられ、位相制御信号生成器１５ｂ，１５ｄから移相量０°の位相制御信号が発生し、マジックＴ合成部１２に供給される。
【００２３】
マジックＴ合成部１２では、送信機１１，１４の出力信号を取り込み、これら出力信号を位相制御部１５から与えられる位相制御信号に応じて９０°から０°に移相し、合成してアンテナ１３に出力する。
【００２４】
（ＴＸ１単独運転モード）  
ＴＸ１単独運転モードの指示信号は、端子１５ｒを介してフリップフロップ回路１５ｓのＳ端子に供給される。すると、フリップフロップ回路１５ｓは、論理「１」の信号を出力する。この論理「１」の信号は、ＯＲ回路１５ｏを介してＡＮＤ回路１５ｅ，１５ｈにそれぞれ供給される。このとき、マジックＴ合成部１２において、送信機１１の出力信号が移相されていない状態（ＢＹＰＡＳＳ  ＳＴＡＴＵＳ）であれば、ＡＮＤ回路１５ｅから論理「１」の信号が出力されて、各スイッチ１５ｉに供給される。すると、スイッチ１５ｉがオン状態に切り替えられ、位相制御信号生成器１５ａから移相量９０°の位相制御信号が発生し、マジックＴ合成部１２に供給される。
【００２５】
マジックＴ合成部１２では、送信機１１の出力信号を取り込み、この出力信号を位相制御部１５から与えられる位相制御信号に応じて９０°移相し、合成してアンテナ１３に出力する。
【００２６】
一方、送信機１４の出力信号が移相されている状態（ＮＯＲＭＡＬ  ＳＴＡＴＵＳ）であれば、ＡＮＤ回路１５ｈから論理「１」の信号が出力されて、スイッチ１５ｌに供給される。すると、スイッチ１５ｌがオン状態に切り替えられ、位相制御信号生成器１５ｄから移相量０°の位相制御信号が発生し、マジックＴ合成部１２に供給される。
【００２７】
マジックＴ合成部１２では、送信機１４の出力信号を取り込み、この出力信号を位相制御部１５から与えられる位相制御信号に応じて９０°から０°に移相し、擬似負荷抵抗１６に落とす。
【００２８】
（ＴＸ２単独運転モード）  
ＴＸ２単独運転モードの指示信号は、端子１５ｔを介してフリップフロップ回路１５ｕのＳ端子に供給される。すると、フリップフロップ回路１５ｕは、論理「１」の信号を出力する。この論理「１」の信号は、ＯＲ回路１５ｐを介してＡＮＤ回路１５ｇ，１５ｆにそれぞれ供給される。このとき、マジックＴ合成部１２において、送信機１４の出力信号が移相されていない状態（ＢＹＰＡＳＳ  ＳＴＡＴＵＳ）であれば、ＡＮＤ回路１５ｇから論理「１」の信号が出力されて、スイッチ１５ｋに供給される。すると、スイッチ１５ｋがオン状態に切り替えられ、位相制御信号生成器１５ｃから移相量９０°の位相制御信号が発生し、マジックＴ合成部１２に供給される。
【００２９】
マジックＴ合成部１２では、送信機１４の出力信号を取り込み、この出力信号を位相制御部１５から与えられる位相制御信号に応じて９０°移相してアンテナ１３に出力する。
【００３０】
一方、送信機１１の出力信号が移相されている状態（ＮＯＲＭＡＬ  ＳＴＡＴＵＳ）であれば、ＡＮＤ回路１５ｆから論理「１」の信号が出力されて、スイッチ１５ｊに供給される。すると、スイッチ１５ｊがオン状態に切り替えられ、位相制御信号生成器１５ｂから移相量０°の位相制御信号が発生し、マジックＴ合成部１２に供給される。
【００３１】
マジックＴ合成部１２では、送信機１１の出力信号を取り込み、この出力信号を位相制御部１５から与えられる位相制御信号に応じて９０°から０°に移相し、擬似負荷抵抗１６に落とす。
【００３２】
以上のように上記実施形態では、上記位相制御部１５において、ＴＸ１単独運転モード時に、マジックＴ合成部１２に対する位相制御の実行に先立ち、ＡＮＤ回路１５ｅにて送信機１１の出力信号がＮＯＲＭＡＬ状態であるかＢＹＰＡＳＳ状態であるかを判定し、ＢＹＰＡＳＳ状態である場合に送信機１１の出力信号を９０°移相するようにマジックＴ合成部１２の位相制御を実行し、一方、ＴＸ２単独運転モード時に、マジックＴ合成部１２に対する位相制御の実行に先立ち、ＡＮＤ回路１５ｇにて送信機１４の出力信号がＮＯＲＭＡＬ状態であるかＢＹＰＡＳＳ状態であるかを判定し、ＢＹＰＡＳＳ状態である場合に送信機１４の出力信号を９０°移相するようにマジックＴ合成部１２の位相制御を実行している。また、デュアル運転モードにおいても同様である。
【００３３】
従って、運転モードごとにマジックＴ合成部１２に対する適切な位相調整処理を行うことができ、さらに位相制御上の信頼性を高めることもできる。
【００３４】
なお、上記実施形態では、位相制御信号生成器１５ａ，１５ｃから移相量９０°の位相制御信号を発生する例について説明したが、９０°以外の任意の移相量の位相制御信号を発生するものであってもよい。
【００３５】
また、上記実施形態では、位相制御部１５をハードウェアロジック構成として説明したが、ソフトウェア構成で実現するようにしてもよい。
【００３６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３７】
【図１】この発明に係わる位相制御装置が適用される送信機デュアルシステムの一実施形態の構成を示すブロック図。
【図２】上記図１に示した位相制御部のハードロジック構成を示す図。
【符号の説明】
【００３８】
１１…送信機（ＴＸ１）、１２…マジックＴ合成部、１３…アンテナ、１４…送信機（ＴＸ２）、１５…位相制御部、１６…擬似負荷抵抗、１５ａ，１５ｂ，１５ｃ，１５ｄ…位相制御信号生成器、１５ｅ，１５ｆ，１５ｇ，１５ｈ…ＡＮＤ回路、１５ｉ，１５ｊ，１５ｋ，１５ｌ…スイッチ、１５ｍ，１５ｑ，１５ｒ，１５ｔ…端子、１５ｎ，１５ｓ，１５ｕ…フリップフロップ回路、１５ｏ，１５ｐ…ＯＲ回路。
【図１】
2009213085.tif 000003
【図２】
2009213085.tif 000004